(57)【要約】【課題】  再生剤の飛散を防止できるとともに、再生剤や濾布等の交換も容易にできる濾過処理材を提供する。【解決手段】  使用済み食用油Ｌを通過させて、この食用油Ｌの濾過と再生とを行う濾過処理材であって、前記使用済み食用油Ｌの通過距離が一定となるように、一定の厚さＴに形成された、濾布Ｐ，Ｑ製等の密閉ケースＲ内に、粒状の再生剤Ｓを充填している。粒状の再生剤Ｓが、濾布Ｐ，Ｑ等によって所定形状に形成された密閉ケースＲ内に充填されているので、濾過処理中の再生剤Ｓの飛散を防止できるとともに、再生剤Ｓや濾布Ｐ，Ｑ等の交換も、これらを一体として容易に行うことができる。【選択図】        図１
2016052627.tif 000002
【特許請求の範囲】
【請求項１】
使用済み食用油を通過させて、この食用油の濾過と再生とを行う濾過処理材であって、
前記使用済み食用油の通過距離が一定となるように、一定の厚さに形成された、濾布又は濾紙製の密閉ケース内に、粒状の再生剤を充填していることを特徴とする濾過処理材。
【請求項２】
前記密閉ケースは、外周部に接合つばを有した、凹状の成形濾布の開口部を、この成形濾布より繊維間隙間が大きく、かつ、前記使用済みの食用油が最初に通過するシート状濾布で覆うことにより形成されていることを特徴とする請求項１記載の濾過処理材。
【請求項３】
前記密閉ケースは、外周部に接合つばを有した、凹状の成形濾紙の開口部を、この成形濾紙より繊維間隙間が大きく、かつ、前記使用済みの食用油が最初に通過するシート状濾紙で覆うことにより形成されていることを特徴とする請求項１記載の濾過処理材。
【請求項４】
前記濾布には、不織布が用いられていることを特徴とする請求項１又は２記載の濾過処理材。
【発明の詳細な説明】
【技術分野】
【０００１】
この発明は、使用済み食用油を、濾布又は濾紙と、再生剤とを用いて、濾過処理する濾過処理材に関するものである。
【背景技術】
【０００２】
揚げ物調理においては、高温に加熱された食用油中に、水分を有する揚げ種が繰り返し投入されるため、食用油は、加水分解や酸化によって変質し、これに劣化が生じる。劣化した食用油で、揚げ物調理を行うと、揚げ物から風味や香りが失われて、揚げ物の味覚の低下や、揚げ物の保存性の低下を招くとともに、揚げ物の褐色化等を招いてしまう。
【０００３】
このため、使用済みの食用油を粒状の再生剤中に通すことにより、揚げ物調理で発生した食用油中の不純物（例えば、遊離脂肪酸等）を吸着除去して、この食用油の脱臭、脱酸、脱色を行い、食用油の寿命を延ばすこと、すなわち、食用油の再生を行うこともなされている。
【０００４】
図１５は、小型のフライヤー２００の下方に設置され、その使用済み食用油Ｌの濾過と再生（以下濾過処理という）を行う濾過装置１００を示している。この濾過装置１００では、図１６で示されるように、油処理室１０を上部の未処理室１０Ａと下部の処理室１０Ｂとに分ける仕切り部１０１（支持板部１０３の中央開口部を金網１０２で覆ったもの）上に、濾布Ｆと、この濾布Ｆ上に所定厚さだけ載せられた再生剤Ｓとからなる濾過処理材が設置されている。なお、濾布Ｆ上には、この濾布Ｆの加圧固定と、再生剤Ｓの収容のために、断面Ｌ形の矩形枠１０４が取り付けられる。この矩形枠１０４は、回動部材１０５を軸Ｃを中心に回転させ、これを壁面１０ａ側の固定部材１７に係合させることにより、仕切り部材１０３側に加圧される。
【０００５】
フライヤー２００による揚げ物調理が終了すると、フライヤー２００側の使用済み食用油Ｌを、滓受けかご１８を介して、未処理室１０Ａ内に流し込む。つづいて、油処理室１０横のポンプ１２を作動させ、未処理室１０Ａ内の使用済み食用油Ｌを、再生剤Ｓと濾布Ｆからなる濾過処理材中に通して濾過処理した後、これを、処理室１０Ｂ、吸引管１４、ポンプ１２、三方弁１３、及び循環管１５を介して循環させる。そして、使用済み食用油Ｌが充分に濾過処理されると、ポンプ１２、三方弁１３、吐出管１６を介して、処理済みの食用油をフライヤー２００側に戻した後、濾過装置１００の未処理室１０Ａから濾過処理材（再生剤Ｓや濾布Ｆ）を取り除き、これを新たなものと交換する。
【０００６】
濾過処理材の交換に当たり、回動部材１０５を軸Ｃを中心に回動して、固定部材１７に対する回動部材１０５の係合を解除した後、遊離脂肪酸等を吸着して使用済みとなった再生剤Ｓの塊を崩さないように、矩形枠１０４を油処理室１０からそっと取り出す。つづいて、再生剤Ｓの塊を崩さないようにして、この再生剤Ｓを濾布Ｆと共に油処理室１０から取り出す。この場合、再生剤Ｓは、未処理室１０Ａ内に飛散して、種々の場所に付着しているので、未処理室１０Ａの壁面１０ａや矩形枠１０４の表面を充分に清掃し、これらから再生剤Ｓを除く必要がある。
【０００７】
つぎに、仕切り部材１０３上に新たな濾布Ｆを置いた後、この濾布Ｆ上に、矩形枠１０４を載置し、これを、回動部材１０５を介して固定部材１７側に固定することにより、矩形枠１０４により濾布Ｆを加圧固定する。つづいて、矩形枠１０４内の濾布Ｆ上に、新たな再生剤Ｓを所定量だけ入れ、これを一定の厚さとなるように、平らにならせば、濾過処理材の交換作業は完了する。
【発明の概要】
【発明が解決しようとする課題】
【０００８】
しかしながら、従来の濾過処理材では、再生剤Ｓの上方への移動が自由なため、濾過処理中に、この再生剤Ｓが未処理室１０Ａ内に飛散し、油処理室１０内の清掃が大変であるという問題があった。また、矩形枠１０４や濾布Ｆ上の再生剤Ｓの取り出しに当たり、使用済みとなった再生剤Ｓの塊を崩さないように行う必要があり、これらの作業も、手間がかかるものであった。さらに、矩形枠１０４内に新たな再生剤Ｓをセットする場合にも、その量を計量する必要があるとともに、上面を平らにならす必要があり、これらの作業も手間のかかるものであった。
【０００９】
また、従来の濾過処理材では、これを通過させるように、使用済み食用油Ｌを下向きに移動させることは容易であるが、逆に、使用済み食用油Ｌを、これを通って上向き等に移動させることは容易ではないという問題があった。なお、この濾過処理材には、濾布Ｆのかわりに濾紙を使用してもよい。
【００１０】
この発明は、以上の点に鑑み、再生剤の飛散を防止できるとともに、再生剤や、濾布又は濾紙の交換も容易にでき、かつ、使用済み食用油をどの方向に移動させても濾過処理が容易にできる濾過処理材を提供することを目的とする。
【課題を解決するための手段】
【００１１】
この発明の請求項１記載の発明は、使用済み食用油を通過させて、この食用油の濾過と再生とを行う濾過処理材であって、前記使用済み食用油の通過距離が一定となるように、一定の厚さに形成された、濾布又は濾紙製の密閉ケース内に、粒状の再生剤を充填していることを特徴とする。
【００１２】
この発明では、使用済み食用油は、濾布（濾紙）、再生剤、濾布（濾紙）の順に、濾過処理材中を、その厚さ方向に通過して、濾過処理される。具体的には、使用済み食用油は、濾布（濾紙）によって、揚げ滓等が濾過されるとともに、再生剤によって、不純物の吸着除去等、すなわち、再生がなされる。この場合、密閉ケースは、使用済み食用油の移動方向に、その厚さが一定になるように形成されているので、使用済み食用油は、一定厚さの再生剤中を通過することとなり、均一に濾過処理される
【００１３】
この発明の請求項２記載の発明は、請求項１記載の発明の場合において、前記密閉ケースは、外周部に接合つばを有した、凹状の成形濾布の開口部を、この成形濾布より繊維間隙間が大きく、かつ、前記使用済みの食用油が最初に通過するシート状濾布で覆うことにより形成されていることを特徴とする。
【００１４】
この発明では、使用済み食用油は、まず、繊維間隙間の大きいシート状濾布を通過し、つぎに、再生剤中を通過して、最後に成形濾布を通過する。この場合、比較的大きい揚げ滓等が、シート状濾布により濾過され、最終的に、細かい揚げ滓等が成形濾布により濾過される。
【００１５】
この発明の請求項３記載の発明は、請求項１記載の発明の場合において、前記密閉ケースは、外周部に接合つばを有した、凹状の成形濾紙の開口部を、この成形濾紙より繊維間隙間が大きく、かつ、前記使用済みの食用油が最初に通過するシート状濾紙で覆うことにより形成されていることを特徴とする。
【００１６】
この発明の請求項４記載の発明は、請求項１又は２記載の発明の場合において、前記濾布には、不織布が用いられていることを特徴とする。
【発明の効果】
【００１７】
この発明の請求項１記載の発明によれば、粒状の再生剤が、濾布又は濾紙によって所定形状に形成された密閉ケース内に充填されているので、濾過処理中の再生剤の飛散を防止できるとともに、再生剤や濾布等の交換も、これらを一体として容易に行うことができる。また、この発明によれば、再生剤と濾布等とが一体化されているので、吸引等により、使用済み食用油をいずれの方向に移動させる場合でも、その濾過処理を容易に行うことができる。
【００１８】
この発明の請求項２又は３記載の発明によれば、濾過処理材を作るに当たって、凹状の成形濾布（成形濾紙）中に再生剤を充填するように収容した後、接合つばに重ね合わせるようにして、成形濾布（成形濾紙）の開口部を、シート状濾布（シート状濾紙）で塞げばよいので、濾過処理材の製作の容易化を図ることができる。また、この発明によれば、接合つば等によって、濾過処理材の位置決めや固定の容易化をも図ることができる。さらに、この発明によれば、シート状濾布（シート状濾紙）と成形濾布（成形濾紙）との繊維間隙間の大きさを変え、使用済み食用油を、繊維間隙間の大きいシート状濾布（シート状濾紙）側から濾過処理材内に流し込んでいるので、シート状濾布（シート状濾紙）と成形濾布（成形濾紙）とで濾過するものの大きさを分けることができ、その分、シート状濾布（シート状濾紙）や成形濾布（成形濾紙）の目詰まりまでに要する時間を長くすることができる。
【００１９】
この発明の請求項４記載の発明によれば、濾布が不織布から形成されているので、成形濾布等を容易に作ることができる。
【図面の簡単な説明】
【００２０】
【図１】この発明の一実施の形態に係る濾過処理材を示しており、（ａ）は、濾過処理材の外観斜視図であり、（ｂ）は、濾過処理材の側断面図であり、（ｃ）は、シート状濾布の直下に補助濾布を置いた場合の、濾過処理材の側断面図である。
【図２】図１の濾過処理材を使用する濾過装置の側断面図である。
【図３】図１の濾過装置の油処理室側の側断面図である。
【図４】図１の濾過装置の油処理室側の平断面図である。。
【図５】この発明の他の実施の形態に係る濾過処理材の外観斜視図である。
【図６】図５の濾過処理材を使用する濾過装置の正断面図である。
【図７】図６のＡ−Ａ矢視断面図である。
【図８】濾材保持部と位置決め加圧部との断面図である。
【図９】この発明の他の実施の形態に係る濾過処理材の外観斜視図である。
【図１０】図９の濾過処理材を使用する濾過装置の側面図である。
【図１１】図９の濾過処理材を使用する濾過装置の平面図である。
【図１２】吸引ユニットの濾過部の拡大断面図である。
【図１３】支持台の外観斜視図である。
【図１４】吸引ユニットと吐出ユニットとが仮置きされた支持台の断面図である。
【図１５】従来の濾過処理材を使用する濾過装置の側断面図である。
【図１６】図１５の濾過装置の油処理室側の側断面図である。
【発明を実施するための最良の形態】
【００２１】
以下、この発明の実施の形態を図面を参照しつつ説明する。
実施形態１．
図１は、この発明の一実施の形態に係る濾過処理材を示している。
【００２２】
濾過処理材Ｂ０は、使用済み食用油Ｌを通過させて、その濾過と再生とを行うものであり、ここで使用されるものは、図１（ａ）で示されるように、薄い直方体形状をしたものである。この濾過処理材Ｂ０は、図１（ｂ）で示されるように、濾布を成形加工することによって形成された、上方が開放された凹状（薄い弁当箱状）の成形濾布Ｐと、この成形濾布Ｐの開口部Ｐ４を塞ぐ薄く平らなシート状濾布Ｑと、成形濾布Ｐとシート状濾布Ｑからなる密閉ケースＲ内に充填される、粒状の再生剤Ｓとから構成される。密閉ケースＲは、使用済み食用油Ｌの移動（流れ）方向Ｇ向きの厚さ、すなわち、シート状濾布Ｑから成形濾布Ｐの底面部Ｐ１までの厚さＴが一定となるように形成されている。なお、成形濾布Ｐやシート状濾布Ｑには、加工が容易な濾布である不織布が使用されている。
【００２３】
成形濾布Ｐは、開口部Ｐ４から底面部Ｐ１に向かって、再生剤Ｓの充填面積が減少するように、すなわち、側面部Ｐ２と底面部Ｐ１との傾斜角αが９０度以上となるように、側面部Ｐ２が斜状に形成されている。また、成形濾布Ｐの開口部Ｐ４側端部には、外方に屈曲した接合つばＰ３が形成されており、この接合つばＰ３を介して、成形濾布Ｐとシート状濾布Ｑとを一体化することにより、密閉ケースＲが形成される。なお、成形濾布Ｐの接合つばＰ３とシート状濾布Ｑとの接合部が、濾過処理材Ｂ０のつば部Ｒ１となり、これが、濾過処理材Ｂ０の位置決めや固定に利用される。
【００２４】
成形濾布Ｐには、背景技術の項で説明した濾布Ｆと同程度の繊維間隙間を有する不織布が使用されているが、シート状濾布Ｑには、成形濾布Ｐより繊維間隙間が大きい不織布が使用されている。再生剤Ｓは、使用済み食用油Ｌと接触して、この使用済み食用油Ｌの再生を行うものであり、成形濾布Ｐやシート状濾布Ｑから漏れ出さない大きさの粒子状に形成されている。この再生剤Ｓは、フライヤーで使用される食用油の量等に応じて、その使用量が定められる。なお、この濾過処理材Ｂ０は、成形濾布Ｐ中に所定量の再生剤Ｓを充填するように収容した後、成形濾布Ｐの開口部Ｐ４を、シート状濾布Ｑで覆い、このシート状濾布Ｑと接合つばＰ３とを接合すれば製作される。
【００２５】
図２は、濾過処理材Ｂ０を使用するための濾過装置１を示している。
濾過装置１は、小型のフライヤー２００の油溜め２０１下方に設置され、このフライヤー２００の使用済み食用油Ｌを濾過処理するものである。この濾過装置１は、濾過処理材Ｂ０の取り付け部を除いて、背景技術の項で説明した濾過装置１００（図１５参照）とほぼ同じ構成となっている。
【００２６】
濾過装置１は、図２で示されるように、油処理室１０の横に設けられたポンプ室１１内に、ポンプ１２と三方弁１３とが設置されている。そして、この濾過装置１は、油処理室１０の下部（処理室１０Ｂ）とポンプ１２の入口側とが吸引管１４で接続されるとともに、ポンプ１２の出口側につながる三方弁１３の一方が、循環管１５を介して、油処理室１０の上部（未処理室１０Ａ）に接続され、三方弁１３の他方が、吐出管１６を介して、フライヤー２００の油溜め２０１に接続されている。
【００２７】
油処理室１０は、濾過処理材Ｂ０が設置される仕切り部２０によって、上部の未処理室１０Ａと下部の処理室１０Ｂとに分けられている。仕切り部２０は、図３で示されるように、中央の筒状部２１ａが処理室１０Ｂ側に突出し、平らな外周部２１ｂが、処理室１０Ｂの壁面１０ａに固定される仕切り部材２１と、仕切り部材２１の筒状部２１ａ下端に、その開口部を覆うように取り付けられる支持金網２２とから構成されている。仕切り部材２１の筒状部２１ａは、内部に濾過処理材Ｂ０を収容できるように、矩形筒状に形成され、かつ、濾過処理材Ｂ０の側面部Ｐ２と密着するように、下方に向かって内側に傾斜するように形成されている。仕切り部材２１の外周部２１ｂには、上面側に、濾過処理材Ｂ０のつば部Ｒ１が落とし込まれる下向きの段部Ｄが形成されている。
【００２８】
仕切り部２０上には、濾過処理材Ｂ０のつば部Ｒ１を加圧して、濾過処理材Ｂ０が上方へ移動するのを防止する矩形状の加圧板２３が取り付けられる。この加圧板２３は、図４で示されるように、中央に開口部２３ａが形成されているとともに、一方の側部に、一対の位置決め用切欠２３ｂが形成され、かつ、上面側に一対の把手２３ｃが設けられている。また、この加圧板２３の左右の側部には、軸Ｃを中心に回転可能な４つの回動部材２４が取り付けられている。この加圧板２３を仕切り部２０上に取り付けるには、仕切り部２０の外周部２１ｂ上に設けられた一対の突起Ｕに切欠２３ｂを位置合わせして、加圧板２３を位置決めした後、回動部材２４を軸Ｃを中心に回転させて、その突出部を未処理室１０Ａの内壁面１０ａに取り付けられた固定部材２５に係合させればよい。
【００２９】
なお、図２で示されるように、油処理室１０の未処理室１０Ａ上には、下面が細かい金網（例えば８０メッシュ）となった滓受けかご１８が載置されている。また、図２中、符号１９は、濾過装置１の移動用キャスター、符号２０２は、フライヤー２００の脚、符号２０３は、使用済み食用油Ｌの流出バルブ、を示している。
【００３０】
つぎに、濾過処理材Ｂ０の作用効果を、濾過装置１との関連で説明する。
フライヤー２００による揚げ物調理が終了すると、流出バルブ２０３を開けて、油溜め２０１内の使用済み食用油Ｌを濾過装置１の未処理室１０Ａ内に収容する。この場合、使用済み食用油Ｌは、滓受けかご１８を通って未処理室１０Ａ内に溜められるため、未処理室１０Ａ内の使用済み食用油Ｌ中には、大きな揚げ滓は含まれていない。この使用済み食用油Ｌは、自重により、濾過処理材Ｂ０中、すなわち、シート状濾布Ｑ、再生剤Ｓ、成形濾布Ｐの底面部Ｐ１の順に、この濾過処理材Ｂ０中を、その厚さ方向に移動する。そして、使用済み食用油Ｌは、濾過処理材Ｂ０中の再生剤Ｓにより遊離脂肪酸等の不純物の一部が吸着除去されて、ある程度再生されるとともに、濾過処理材Ｂ０のシート状濾布Ｑと成形濾布Ｐの底面部Ｐ１とにより細かい揚げ滓が濾過されて、処理室１０Ｂに貯められる。
【００３１】
つぎに、ポンプ１２を作動させるとともに、三方弁１３を調整して、一部濾過処理された処理室１０Ｂ内の使用済み食用油Ｌを、吸引管１４、ポンプ１２、三方弁１３、循環管１５を介して、未処理室１０Ａ側に循環させる。ポンプ１２の吸引力により、濾過処理材Ｂ０中を通過する使用済み食用油Ｌの量が増加するので、短時間の内に、使用済み食用油Ｌは、充分に濾過処理される。この時点で、三方弁１３を調整し、ポンプ１２出口の処理済み食用油を、吐出管１６を介して、フライヤー２００の油溜め２０１に戻してやる。
【００３２】
つぎに、油処理室１０から、滓受けかご１８を取り外した後、加圧板２３を取り外して、仕切り部２０の筒状部２１ａ内の使用済み濾過処理材Ｂ０を油処理室１０外に取り出す。つづいて、新たな濾過処理材Ｂ０を仕切り部２０に設置した後、加圧板２３を取り付け、これと仕切り部材２１とにより、濾過処理材Ｂ０のつば部Ｒ１を挟み付け、濾過処理材Ｂ０の上方への移動を防止する。そして、最後に、清掃した滓受けかご１８を油処理室１０に載置するように取り付ければよい。
【００３３】
以上にように、この濾過処理材Ｂ０では、粒状の再生剤Ｓが、濾布Ｐ，Ｑによって所定形状に形成された密閉ケースＲ内に充填されているので、濾過処理中の再生剤Ｓの飛散を防止できるとともに、再生剤Ｓや濾布Ｐ，Ｑの交換も、これらを一体として容易に行うことができる。
【００３４】
また、この濾過処理材Ｂ０では、密閉ケースＲの厚さＴが一定となるように形成されているので、使用済み食用油Ｌは一定厚さの再生剤Ｓ中を通過することとなり、この使用済み食用油Ｌを、均一に濾過処理することができる。
【００３５】
さらに、この濾過処理材Ｂ０では、シート状濾布Ｑと成形濾布Ｐとの繊維間隙間の大きさを変え、使用済み食用油Ｌを、繊維間隙間の大きいシート状濾布Ｑ側から濾過処理材Ｂ０内に移動させているので、シート状濾布Ｑと成形濾布Ｐとで濾過するものの大きさを分けることができ、その分、シート状濾布Ｑや成形濾布Ｐの目詰まりまでに要する時間を長くすることができる。なお、揚げ滓等の一部は、再生剤Ｓへの付着によっても除去される。
【００３６】
また、この濾過処理材Ｂ０では、密閉ケースＲ内に再生剤Ｓを充填しているので、使用済み食用油Ｌを、シート状濾布Ｑ側から濾過処理材Ｂ０内に流し込むだけで、この使用済み食用油Ｌの濾過処理を行うことができる。すなわち、この濾過処理材Ｂ０では、この濾過処理材Ｂ０に対して、使用済み食用油Ｌを、上側や下側等の何れの方向に移動させる場合でも、その濾過処理を容易に行うことができる。
【００３７】
さらに、この濾過処理材Ｂ０では、外周部につば部Ｒ１が設けられているので、つば部Ｒ１を介して、濾過処理材Ｂ０を濾過装置１側に容易に位置決め固定することができる。また、この濾過処理材Ｂ０では、成形濾布Ｐの開口部Ｐ４側に接合つばＰ３が形成されているので、成形濾布Ｐ内に再生剤Ｓを収容した後、接合つばＰ３とシート状濾布Ｑとの接合を容易に行うことができ、濾過処理材Ｂ０の製作の容易化を図ることができる。
【００３８】
また、この濾過処理材Ｂ０では、使用済み食用油Ｌの流れ方向Ｇ向きに、断面積が小さくなるように、側面部Ｐ２を傾斜させているとともに、これを設置する濾過装置１の筒状部２１ａも同様に形成しているので、濾過処理材Ｂ０は、濾過処理中に、筒状部２１ａ側に加圧され、濾過処理材Ｂ０と筒状部２１ａ間の隙間から使用済み食用油Ｌが流れ出してしまうことはない。したがって、この濾過装置１では、全ての使用済み食用油Ｌを、濾過処理材Ｂ０内に移動させることができる。
【００３９】
なお、図１（ｃ）で示されるように、シート状濾布Ｑ直下の、成形濾布Ｐの開口部Ｐ４近傍に、この開口部Ｐ４を閉じるように、密度が小さく厚手で、繊維間隙間がシート状濾布Ｑより大きい不織布製の補助濾布Ｈを置いてもよい。すなわち、再生剤Ｓは、密閉ケースＲ内の補助濾布Ｈ下方に充填されたものであってもよい。このことにより、再生剤Ｓが使用済み食用油Ｌ中の不純物等を吸着して膨張しても、補助濾布Ｈが収縮することにより、濾過処理材Ｂ０の変形を防止できる。また、この補助濾布Ｈにより、繊維間隙間の比較的大きいシート状濾布Ｑ側からの、再生剤Ｓの漏れ出しも、より強固に防止できる。
【００４０】
また、濾過処理材Ｂ０は、成形濾布Ｐと同形状の成形濾紙と、シート状濾布Ｑと同形状のシート状濾紙からなる密閉ケースＲ内に、再生剤Ｓを充填したものであってもよい。
【００４１】
実施形態２．
図５は、この発明の他の実施の形態に係る濾過処理材Ｂ１を示している。
この濾過処理材Ｂ１は、下部側が漸次小径になった円柱状のものであり、他のサイズに比べて、厚さＴがやや大きめに形成されている。したがって、使用済み食用油Ｌは、この濾過処理材Ｂ１中を１回通過すれば、厚さＴの小さい濾過処理材Ｂ０の場合より、効率よく濾過処理される。この濾過処理材Ｂ１は、濾過処理材Ｂ０と外観は異なるが、構造及び機能は、濾過処理材Ｂ０と同一である。
【００４２】
図６と図７は、濾過処理材Ｂ１を使用する食用油の濾過装置２を示している。
この濾過装置２は、空気の加圧力により、使用済み食用油Ｌが濾過処理材Ｂ１中を容易に通過できるようにしたものである。この濾過装置２は、図６で示されるように、本体部３０と、その容器蓋３６と、本体部３０内に取り付けられる、濾材保持部４３と位置決め加圧部４４と、本体部３０等が載せられる処理油容器４８と、本体部３０の外面に取り付けられる加圧空気供給装置４９とから構成されている。なお、処理油容器４８は、上端側が開口し、上側部に把手４８ａが設けられている。
【００４３】
本体部３０は、図６と図７とで示されるように、断面が丸みを帯びた矩形状に形成された油収容部３１の下に、４本の脚部３２が設けられたものである。油収容部３１の底板３３には、中央に、下向きに突出する凹部３３ａが形成されており、脚部３２には、本体部３０を処理油容器４８上に載せる支持板３２ａが設けられている。油収容部３１の周壁と底板３３との角部には、周方向に４カ所に、上方から見ると、（く）の字状をした固定板３４が取り付けられており、この固定板３４の上下方向中間部に、横溝３４ａが形成されている。なお、底板３３の凹部３３ａには、開口が形成されていて、ここに、処理済み食用油Ｌ１を下方の処理油容器４８に流し込むバルブＶが取り付けられている。また、油収容部３１の上部側開口端には、密閉用のＵ状のパッキン３５が取り付けられている。
【００４４】
容器蓋３６は、図６で示されるように、本体部３０（油収容部３１）の開口を、パッキン３５を加圧して密閉するように閉じるものである。この容器蓋３６は、蓋本体３７がヒンジ３８を介して開閉できるようになっており、ヒンジ３８と対向した位置にある本体部３０側の係止ハンドル３９を、Ｌ形部材４０に係脱することにより開閉される。なお、ヒンジ３８の一方には、本体部３０の係止部３０ａに引っ掛けられるＪ形部材４１が取り付けられており、蓋本体３７の内面側には、加圧空気を分散噴射するヘッド４２が設けられている。また、図６中、符号３７ａは、把手である。
【００４５】
濾材保持部４３は、図６で示されるように、濾過処理材Ｂ１を、本体部３０の凹部３３ａ側に位置決めするためのものである。この濾材保持部４３は、図８で示されるように、中央部に、下方に突出するように、濾過処理材Ｂ１の収容部４３ａが形成され、収容部４３ａの外側に、リング状の外周部４３ｂが形成されたものである。外周部４３ｂの下面側には、Ｏリング４３ｃの上部側が嵌め込まれる下溝が形成されている。収容部４３ａは、濾過処理材Ｂ１の側面部Ｐ２と密着するように形成されているとともに、下部側に、濾過処理材Ｂ１の底面部Ｐ１を保持する金網４３ｄが取り付けられている。なお、収容部４３ａの下端部には、開口が形成されている。
【００４６】
位置決め加圧部４４は、濾材保持部４３を本体部３０の油収容部３１内に取り付けたり、濾材保持部４３を油収容部３１から取り出したりするためのものである。この位置決め加圧部４４は、図８で示されるように、断面略Ｔ字状のリング部材４５の上面に把手４６が取り付けられたものである。この位置決め加圧部４４は、リング部材４５の下側の垂直片４５ａ内面に形成されたねじ部を、濾材保持部４３の外周部４３ｂの外面に形成されたねじ部に螺合させることにより、濾材保持部４３と一体化される。また、この位置決め加圧部４４は、リング部材４５の垂直片４５ａ外面の４カ所に、Ｖ字形バー４７が横向きに取り付けられており、このＶ字形バー４７を、本体部３０の固定板３４に形成された横溝３４ａに差し込むことにより、濾材保持部４３のＯリング４３ｃを底板３３に加圧した状態で、本体部３０内に位置決めされる。
【００４７】
なお、位置決め加圧部４４は、リング部材４５の水平片４５ｂの外周端を、本体部３０の固定板３４に当てることにより、本体部３０内において、水平方向に位置決めされる。また、位置決め加圧部４４は、水平片４５ｂの内周部が、濾材保持部４３内の濾過処理材Ｂ１のつば部Ｒ１上に接触して、濾過処理材Ｂ１が上方への移動するのを防止する。
【００４８】
この濾過装置２では、係止ハンドル３９を操作し、これとＬ形部材４０との係合を解除して、容器蓋３６を開けることにより、本体部３０の油収容部３１内に、大きな揚げ滓等が除かれた使用済み食用油Ｌを入れ、その後、容器蓋３６を閉じる。そして、加圧空気供給装置４９を作動させ、ヘッド４２を介して、油収容部３１内に加圧空気を供給し、油収容部３１内が所定圧となるように、空気圧を調整する。油収容部３１内の使用済み食用油Ｌは、加圧空気の加圧力により、濾過処理材Ｂ１中を通過して濾過処理される。この濾過処理された処理済み食用油Ｌ１は、油収容部３１の凹部３３ａ内に溜められた後、バルブＶを介して、処理油容器４８に溜められる。なお、処理済み油Ｌ１の濾過処理の程度が不十分な場合は、処理油容器４８内の処理済み食用油Ｌ１を、再度、油収容部３１内に入れて、加圧空気を用いて、この処理済み食用油Ｌ１の濾過処理を行えばよい。
【００４９】
濾過処理材Ｂ１を交換するには、容器蓋３６を開けた後、把手４６を持って、位置決め加圧部４４を、濾材保持部４３と共に、所定角度だけ水平回動させる。このことにより、Ｖ字形バー４７が本体部３０側の横溝３４ａから移動し、位置決め加圧部４４等と本体部３０側との係合が解除される。そして、把手４６をつかんで、位置決め加圧部４４と濾材保持部４３とを、本体部３０から取り出す。つづいて、位置決め加圧部４４と濾材保持部４３との螺合を解除して、２つを切り離せば、濾過処理材Ｂ１を濾材保持部４３から取り出すことができる。つづいて、濾材保持部４３内に新たな濾過処理材Ｂ１を収容した後、これに、位置決め加圧部４４をねじ込み、これらを一体化させる。そして、これらを、本体部３０の油収容部３１内に移動させる。
【００５０】
つぎに、濾材保持部４３の収容部４３ａを、油収容部３１の凹部３３ａ内に落とし込み、位置決め加圧部４４を水平回動して、Ｖ字形バー４７を、固定板３４の横溝３４ａに差し込む。このことにより、濾材保持部４３が油収容部３１の底板３３側に加圧され、Ｏリング４３ｃが底板３３に密着して、濾材保持部４３と位置決め加圧部４４の本体部３０への取り付けが完了する。そして、最後に、本体部３０の油収容部３１の開口を容器蓋３６で閉じればよい。
【００５１】
以上のように、この濾過処理材Ｂ１も、濾過処理材Ｂ０と同様に形成され、かつ、濾過装置１の場合と同様に、濾過装置２内に取り付けられるので、濾過処理材Ｂ０の場合と同様な効果を得ることができる。
【００５２】
なお、使用済み食用油Ｌの濾過処理には時間を要すが、本体部３０の油収容部３１内に空気圧をかけず、使用済み食用油Ｌが、その自重によって濾過処理材Ｂ１中を通過するようにしてもよい。
【００５３】
実施形態３．
図９は、この発明の他の実施の形態に係る濾過処理材Ｂ２を示している。
この濾過処理材Ｂ２は、下部側が漸次小径になった円柱状のものであるが、濾過処理材Ｂ１に比べて、厚さＴが小さくなるように形成されている。したがって、使用済み食用油Ｌは、この濾過処理材Ｂ２中を繰り返し通過することにより、濾過処理される。なお、濾過処理材Ｂ２の機能や構造は、濾過処理材Ｂ０と同一である。
【００５４】
図１０と図１１は、濾過処理材Ｂ２を使用する食用油の濾過装置３を示している。
この濾過装置３は、卓上フライヤー３００中の使用済み食用油Ｌを濾過処理するものであり、図１０と図１１とで示されるように、何れも持ち運び容易な、ポンプユニット５０と、吸引ユニット６０と、吐出ユニット７０とから構成されている。なお、卓上フライヤー３００は、凹状の油槽３０１内に、電気ヒーター３０２が設けられたものであり、例えば、テーブルＷ上を自由に移動して使用できる、持ち運び容易なフライヤーである。
【００５５】
ポンプユニット５０は、図１０と図１１とで示されるように、ケーシング５１内にポンプ５２が設置されていて、ポンプ５２への吸引管５３と、ポンプ５２からの吐出管５４とを、ケーシング５１外に水平に突出させたものである。吸引管５３の端部には、吸引ユニット６０を着脱容易に取り付けるカプラー５５Ａ，５５Ｂの一方５５Ａが取り付けられている。また、吐出管５４の端部には、吐出ユニット７０を着脱容易に取り付けるカプラー５６Ａ，５６Ｂの一方５６Ａが取り付けられている。
【００５６】
吸引ユニット６０は、卓上フライヤー３００の使用済み食用油Ｌを濾過処理するものであり、図１０で示されるように、９０度屈曲した吸引パイプ６１の垂直部６１ａ下端に、濾過処理材Ｂ２を保持する濾過部６２が設けられている。この吸引パイプ６１の水平部６１ｂの端部には、ポンプユニット５０のカプラー５５Ａと着脱される、カプラー５５Ｂが取り付けられている。濾過部６２は、図１２で示されるように、シート状濾布Ｑ側を下向きにして濾過処理材Ｂ２を保持するものであり、下向きの拡径管６３下端に、濾過処理材Ｂ２の側面部Ｐ２に合わせるように下向きに拡径する、濾過処理材Ｂ２の保持部６４が形成されたものである。保持部６４の下端の開口部には、複数の棒材等からなる開閉蓋６５が取り付けられており、保持部６４内の濾過処理材Ｂ２は、この開閉蓋６５により保持部６４側に加圧されるように支持されている。
【００５７】
なお、濾過処理材Ｂ２は、つば部Ｒ１が、保持部６４の下端と開閉蓋６５とに挟み付けられている。また、拡径管６３の下端側には、濾過処理材Ｂ２の底面部Ｐ１の密着防止や破れを防止用の複数のバー６６が取り付けられている。
【００５８】
吐出ユニット７０は、卓上フライヤー３００の油槽３０１から吸引され、吸引ユニット６０により一部濾過処理された使用済み食用油Ｌを、この油槽３０１内に戻すものである。この吐出ユニット７０は、図１０で示されるように、９０度屈曲した吸引パイプ７１の水平部７１ｂの端部に、ポンプユニット５０のカプラー５６Ａと着脱される、カプラー５６Ｂが取り付けられ、吸引パイプ７１の垂直部７１ａ側は、卓上フライヤー３００の油槽３０１内に差し込まれる。
【００５９】
なお、図１３は、吸引ユニット６０と吐出ユニット７０とを仮置きするための支持台８０を示している。濾過装置３が使用されない場合には、吸引ユニット６０と吐出ユニット７０は、図１４で示されるように、その支持部６７，７２を介して、支持台８０の支持板８１上に仮置きされ、揚げ物作業の邪魔にならないように、別の場所に置かれている。
【００６０】
卓上フライヤー３００による揚げ物調理が終了し、油槽３０１内の使用済み食用油Ｌを濾過処理する場合には、ポンプユニット５０を油槽３０１の側方に位置決めする。つづいて、吸引ユニット６０一端側を、カプラー５５Ａ，５５Ｂを介して、ポンプユニット５０に接続し、吸引ユニット６０の濾過部６２側を、油槽３０１内に差し込む。また、吐出ユニット７０一端側を、カプラー５６Ａ，５６Ｂを介して、ポンプユニット５０に接続し、吐出ユニット７０の他端側を、油槽３０１内に差し込む。
【００６１】
つぎに、ポンプユニット５０のポンプ５２を作動させ、卓上フライヤー３００の油槽３０１内の使用済み食用油Ｌを、吸引ユニット６０側に吸引して、ポンプ５２、吐出ユニット７０、油槽３０１の順に循環させる。使用済み食用油Ｌは、吸引ユニット６０内の濾過処理材Ｂ２中を通過することにより、一部が濾過処理されるため、複数回、濾過処理材Ｂ２中を通過することにより、充分に濾過処理される。
【００６２】
そして、使用済み食用油Ｌの濾過処理が終了すると、吸引ユニット６０と吐出ユニット７０とを、ポンプユニット５０から切り離し、これらを支持台８０上に仮置きする。そして、濾過部６２の開閉蓋６５を開け、使用済みの濾過処理材Ｂ２を、吸引ユニット６０から取り出すとともに、新たな濾過処理材Ｂ２を吸引ユニット６０の濾過部６２にセットする。なお、ポンプユニット５０も、卓上フライヤー３００による揚げ物調理の邪魔にならない場所に移動しておく。
【００６３】
以上のように、この濾過処理材Ｂ２においても、濾過処理材Ｂ０と同一の効果を得ることができる。この場合、油槽３０１内の使用済み食用油Ｌは、濾過処理材Ｂの下方側からこの濾過処理材Ｂ２中を通って、その上方側に移動するように吸引される。
【符号の説明】
【００６４】
Ｂ０，Ｂ１，Ｂ２  濾過処理材
Ｌ    使用済み食用油
Ｐ    成形濾布
Ｐ３  接合つば
Ｑ    シート状濾布
Ｒ    密閉ケース
Ｒ１  つば部
【図１】
2016052627.tif 000003
【図２】
2016052627.tif 000004
【図３】
2016052627.tif 000005
【図４】
2016052627.tif 000006
【図５】
2016052627.tif 000007
【図６】
2016052627.tif 000008
【図７】
2016052627.tif 000009
【図８】
2016052627.tif 000010
【図９】
2016052627.tif 000011
【図１０】
2016052627.tif 000012
【図１１】
2016052627.tif 000013
【図１２】
2016052627.tif 000014
【図１３】
2016052627.tif 000015
【図１４】
2016052627.tif 000016
【図１５】
2016052627.tif 000017
【図１６】
2016052627.tif 000018
【手続補正書】
【提出日】平成27年4月9日(2015.4.9)
【手続補正１】
【補正対象書類名】特許請求の範囲
【補正対象項目名】全文
【補正方法】変更
【補正の内容】
【特許請求の範囲】
【請求項１】
使用済み食用油を通過させて、この使用済み食用油の濾過と再生とを行う濾過処理材であって、
前記使用済み食用油の通過距離が一定となるように、一定の厚さに形成された、不織布からなる濾布又は濾紙製の密閉ケース内に、粒状の再生剤を充填していることを特徴とする濾過処理材。
【請求項２】
前記密閉ケースは、外周部に接合つばを有した、凹状の成形濾布の開口部を、シート状濾布で覆うことにより形成されており、かつ、前記使用済み食用油が出て行く側にある前記成形濾布が、前記使用済み食用油が入り込む側にある前記シート状濾布より小さなものを濾過できるように、この成形濾布の繊維間隙間を、前記シート状濾布の繊維間隙間より小さくしていることを特徴とする請求項１記載の濾過処理材。
【請求項３】
前記密閉ケースは、外周部に接合つばを有した、凹状の成形濾紙の開口部を、シート状濾紙で覆うことにより形成されており、かつ、前記使用済み食用油が出て行く側にある前記成形濾紙が、前記使用済み食用油が入り込む側にある前記シート状濾紙より小さなものを濾過できるように、この成形濾紙の繊維間隙間を、前記シート状濾紙の繊維間隙間より小さくしていることを特徴とする請求項１記載の濾過処理材。
【請求項４】
前記密閉ケースは、シート状濾布の内面側に、前記開口部側全体を覆う不織布製の補助濾布を有していることを特徴とする請求項２記載の濾過処理材。
【手続補正２】
【補正対象書類名】明細書
【補正対象項目名】００１１
【補正方法】変更
【補正の内容】
【００１１】
この発明の請求項１記載の発明は、使用済み食用油を通過させて、この使用済み食用油の濾過と再生とを行う濾過処理材であって、前記使用済み食用油の通過距離が一定となるように、一定の厚さに形成された、不織布からなる濾布又は濾紙製の密閉ケース内に、粒状の再生剤を充填していることを特徴とする。
【手続補正３】
【補正対象書類名】明細書
【補正対象項目名】００１２
【補正方法】変更
【補正の内容】
【００１２】
この発明では、使用済み食用油は、濾布（濾紙）、再生剤、濾布（濾紙）の順に、濾過処理材中を、その厚さ方向に通過して、濾過処理される。具体的には、使用済み食用油は、濾布（濾紙）によって、揚げ滓等が濾過されるとともに、再生剤によって、不純物の吸着除去等、すなわち、再生がなされる。この場合、密閉ケースは、使用済み食用油の移動方向に、その厚さが一定になるように形成されているので、使用済み食用油は、一定厚さの再生剤中を通過することとなり、均一に濾過処理される。
【手続補正４】
【補正対象書類名】明細書
【補正対象項目名】００１３
【補正方法】変更
【補正の内容】
【００１３】
この発明の請求項２記載の発明は、請求項１記載の発明の場合において、前記密閉ケースは、外周部に接合つばを有した、凹状の成形濾布の開口部を、シート状濾布で覆うことにより形成されており、かつ、前記使用済み食用油が出て行く側にある前記成形濾布が、前記使用済み食用油が入り込む側にある前記シート状濾布より小さなものを濾過できるように、この成形濾布の繊維間隙間を、前記シート状濾布の繊維間隙間より小さくしていることを特徴とする。
【手続補正５】
【補正対象書類名】明細書
【補正対象項目名】００１５
【補正方法】変更
【補正の内容】
【００１５】
この発明の請求項３記載の発明は、請求項１記載の発明の場合において、前記密閉ケースは、外周部に接合つばを有した、凹状の成形濾紙の開口部を、シート状濾紙で覆うことにより形成されており、かつ、前記使用済み食用油が出て行く側にある前記成形濾紙が、前記使用済み食用油が入り込む側にある前記シート状濾紙より小さなものを濾過できるように、この成形濾紙の繊維間隙間を、前記シート状濾紙の繊維間隙間より小さくしていることを特徴とする。
【手続補正６】
【補正対象書類名】明細書
【補正対象項目名】００１６
【補正方法】変更
【補正の内容】
【００１６】
この発明の請求項４記載の発明は、請求項２記載の発明の場合において、前記密閉ケースは、シート状濾布の内面側に、前記開口部側全体を覆う不織布製の補助濾布を有していることを特徴とする。
【手続補正７】
【補正対象書類名】明細書
【補正対象項目名】００１８
【補正方法】変更
【補正の内容】
【００１８】
この発明の請求項２、３、又は４記載の発明によれば、濾過処理材を作るに当たって、凹状の成形濾布（成形濾紙）中に再生剤を充填するように収容した後、接合つばに重ね合わせるようにして、成形濾布（成形濾紙）の開口部を、シート状濾布（シート状濾紙）で塞げばよいので、濾過処理材の製作の容易化を図ることができる。また、この発明によれば、接合つば等によって、濾過処理材の位置決めや固定の容易化をも図ることができる。さらに、この発明によれば、シート状濾布（シート状濾紙）と成形濾布（成形濾紙）との繊維間隙間の大きさを変え、使用済み食用油を、繊維間隙間の大きいシート状濾布（シート状濾紙）側から濾過処理材内に流し込んでいるので、シート状濾布（シート状濾紙）と成形濾布（成形濾紙）とで濾過するものの大きさを分けることができ、その分、シート状濾布（シート状濾紙）や成形濾布（成形濾紙）の目詰まりまでに要する時間を長くすることができる。
【手続補正８】
【補正対象書類名】明細書
【補正対象項目名】００１９
【補正方法】削除
【補正の内容】
【手続補正書】
【提出日】平成27年8月20日(2015.8.20)
【手続補正１】
【補正対象書類名】特許請求の範囲
【補正対象項目名】全文
【補正方法】変更
【補正の内容】
【特許請求の範囲】
【請求項１】
使用済み食用油を通過させて、この使用済み食用油の再生を行う粒状の再生剤と、
前記使用済み食用油の通過距離が一定となるように、一定の厚さに形成され、内部に前記再生剤が充填されるとともに、不織布製の濾布又は濾紙により形成されて、前記使用済み食用油の濾過を行う密閉ケースとを有することを特徴とする濾過処理材。
【請求項２】
前記密閉ケースは、外周部に接合つばを有した、凹状の成形濾布の開口部を、シート状濾布で覆うことにより形成されており、かつ、前記使用済み食用油が出て行く側にある前記成形濾布が、前記使用済み食用油が入り込む側にある前記シート状濾布より小さなものを濾過できるように、この成形濾布の繊維間隙間を、前記シート状濾布の繊維間隙間より小さくしていることを特徴とする請求項１記載の濾過処理材。
【請求項３】
前記密閉ケースは、外周部に接合つばを有した、凹状の成形濾紙の開口部を、シート状濾紙で覆うことにより形成されており、かつ、前記使用済み食用油が出て行く側にある前記成形濾紙が、前記使用済み食用油が入り込む側にある前記シート状濾紙より小さなものを濾過できるように、この成形濾紙の繊維間隙間を、前記シート状濾紙の繊維間隙間より小さくしていることを特徴とする請求項１記載の濾過処理材。
【請求項４】
前記密閉ケースは、シート状濾布の内面側に、前記開口部側全体を覆う不織布製の補助濾布を有していることを特徴とする請求項２記載の濾過処理材。
【手続補正２】
【補正対象書類名】明細書
【補正対象項目名】００１１
【補正方法】変更
【補正の内容】
【００１１】
この発明の請求項１記載の発明は、使用済み食用油を通過させて、この使用済み食用油の再生を行う粒状の再生剤と、前記使用済み食用油の通過距離が一定となるように、一定の厚さに形成され、内部に前記再生剤が充填されるとともに、不織布製の濾布又は濾紙により形成されて、前記使用済み食用油の濾過を行う密閉ケースとを有することを特徴とする。
【手続補正書】
【提出日】平成27年10月21日(2015.10.21)
【手続補正１】
【補正対象書類名】特許請求の範囲
【補正対象項目名】全文
【補正方法】変更
【補正の内容】
【特許請求の範囲】
【請求項１】
使用済み食用油の濾過と再生とを行う濾過処理材であって、
油処理室から出て前記油処理室に戻るようにポンプによって循環される、前記使用済み食用油の循環ライン中に設けられて、前記使用済み食用油が内部を通過するように使用され、
かつ、前記使用済み食用油と接触して、揚げ物調理による油の劣化により生じた、遊離脂肪酸を含む不純物を吸着し、前記使用済み食用油の再生を行う粒状の再生剤と、
前記循環ライン中の保持部に加圧される外周面が、厚さを変化させるように斜状に形成されている外周部を除いて、前記使用済み食用油の通過距離が一定となるように、一定の厚さに形成され、内部に前記再生剤が充填されるとともに、不織布製の濾布又は濾紙により形成されて、前記使用済み食用油の濾過を行う密閉ケースとを有することを特徴とする濾過処理材。
【請求項２】
前記密閉ケースは、外周部に接合つばを有した、凹状の成形濾布の開口部を、シート状濾布で覆うことにより形成されており、かつ、前記使用済み食用油が出て行く側にある前記成形濾布が、前記使用済み食用油が入り込む側にある前記シート状濾布より小さなものを濾過できるように、この成形濾布の繊維間隙間を、前記シート状濾布の繊維間隙間より小さくしていることを特徴とする請求項１記載の濾過処理材。
【請求項３】
前記密閉ケースは、外周部に接合つばを有した、凹状の成形濾紙の開口部を、シート状濾紙で覆うことにより形成されており、かつ、前記使用済み食用油が出て行く側にある前記成形濾紙が、前記使用済み食用油が入り込む側にある前記シート状濾紙より小さなものを濾過できるように、この成形濾紙の繊維間隙間を、前記シート状濾紙の繊維間隙間より小さくしていることを特徴とする請求項１記載の濾過処理材。
【請求項４】
前記密閉ケースは、シート状濾布の内面側に、前記開口部側全体を覆う不織布製の補助濾布を有していることを特徴とする請求項２記載の濾過処理材。
【手続補正２】
【補正対象書類名】明細書
【補正対象項目名】００１１
【補正方法】変更
【補正の内容】
【００１１】
この発明の請求項１記載の発明は、使用済み食用油の濾過と再生とを行う濾過処理材であって、油処理室から出て前記油処理室に戻るようにポンプによって循環される、前記使用済み食用油の循環ライン中に設けられて、前記使用済み食用油が内部を通過するように使用され、かつ、前記使用済み食用油と接触して、揚げ物調理による油の劣化により生じた、遊離脂肪酸を含む不純物を吸着し、前記使用済み食用油の再生を行う粒状の再生剤と、前記循環ライン中の保持部に加圧される外周面が、厚さを変化させるように斜状に形成されている外周部を除いて、前記使用済み食用油の通過距離が一定となるように、一定の厚さに形成され、内部に前記再生剤が充填されるとともに、不織布製の濾布又は濾紙により形成されて、前記使用済み食用油の濾過を行う密閉ケースとを有することを特徴とする。
【手続補正３】
【補正対象書類名】明細書
【補正対象項目名】００１２
【補正方法】変更
【補正の内容】
【００１２】
この発明では、油処理室から出て油処理室に戻るようにポンプによって循環される使用済み食用油は、濾布（濾紙）、再生剤、濾布（濾紙）の順に、濾過処理材中を、その厚さ方向に通過して、濾過処理される。具体的には、使用済み食用油は、密閉ケースを形成する濾布又は濾紙によって、揚げ滓等が濾過されるとともに、密閉ケース内の再生剤によって、遊離脂肪酸を含む不純物の吸着、すなわち、再生がなされる。この場合、密閉ケースは、外周部を除いて、使用済み食用油の移動方向に、その厚さが一定になるように形成されているので、使用済み食用油は、一定厚さの再生剤中を通過することとなり、均一に濾過処理される。